(57)【要約】      （修正有）【課題】ブラケット支持片が十分な力で支柱に支持され、ブラケットが盲動することがないラック装置を提供する。【解決手段】芯材３に貫通穴５を有する柱部材６の複数個を連続して可動自在に挿通して構成された支柱７を１又は２以上設け、支柱７に棚板８のブラケット９を支持させたラック装置において、ブラケット９に設けた取付穴11a〜11c、12を介して支持片10を取り付け、支持片10の上下方向に環状突起15を有する２以上の基板14を設け、基板14には一端に開口部を有する芯材３の係止溝16を形成し、環状突起15には蓋体17を被せ、蓋体17には一端部に開口部を有する芯材３の係止溝18を形成し、蓋体17と環状突起15の対向する内側壁19と外側壁には蓋体17の回動を規制するピン20とストッパーを設け、また環状突起15には蓋体17の上下動を規制する鍔部を設けたラック装置。【選択図】図４
0003117867.tif 000002
【実用新案登録請求の範囲】
【請求項１】
垂設された芯材に上下方向に貫通穴を有する柱部材の複数個を連続して可動自在に挿通して構成された支柱を１又は２以上設けるとともに、該支柱にブラケットを支持させるようにしたラック装置において、上記ブラケットに設けられた取付穴を介して支持片を取り付け、該支持片の上下方向にその中央に環状突起を有する２以上の基板を設け、該基板にはその中央部を起点とし、その一端部に開口部を有する上記芯材の係止溝を形成し、また上記環状突起にはその中央部を起点とし、その一端部に開口部を有する上記芯材の係止溝を形成した蓋体を被せ、更に上記蓋体と環状突起の対向する内側壁と外側壁には蓋体の回動を規制するピンとストッパーを設け、また上記環状突起には蓋体の上下動を規制する鍔部を設けるようにしたことを特徴とするラック装置。
【請求項２】
基板の他側に他のブラケット支持片を設けた請求項１記載のラック装置。
【請求項３】
ブラケットが棚板を支持するブラケットである請求項１記載のラック装置。
【請求項４】
ブラケットに棚板を垂設方向に棚設する取付穴と、棚板を傾斜方向に棚設する取付穴を設けた請求項３記載のラック装置。
【請求項５】
垂設された芯材が天井面に沿って摺動可能に吊り下げられた芯材である請求項１記載のラック装置。
【請求項６】
垂設された芯材の一部領域に複数個の柱部材を連続挿通して支柱を形成する場合には支柱領域の上部乃至下部の芯材に上下方向に貫通穴を有する位置決め部材を挿通して支柱領域を固定するようにした請求項１記載のラック装置。
【請求項７】
支柱領域以外の芯材の露出する部分はカバーで覆うようにした請求項５記載のラック装置。
【考案の詳細な説明】
【技術分野】
【０００１】
この考案は、簡単に支柱に対して適当な高さに棚板を架設することができるラック装置の改良に関するものである。
【背景技術】
【０００２】
従来、ラック装置としては、支柱の適当な高さにブラケットを取付金具で固定し、該ブラケットに棚板を支持させるようにしたものが知られている。
【０００３】
また、垂直に立てたポールに嵌め込んだ自在ロック機構に取り付けた連続スリーブにラックのフックをを差し込み、自在ロック機構により自在に上下移動、軸回転移動ができ、望みの高さ、位置にラックを配置できるようにしたラック装置が知られている（実用新案登録第3044943号）。
【０００４】
しかし、前者のラック装置については、棚板を支持するブラケットを取付金具を使用して支柱の適当な高さに固定するのに手間が掛かり、また棚板に重いものを載せると、長い間には取付金具による固定が弛み、ブラケットがずれ落ちてしまう等の不都合を生ずる。
【０００５】
また、後者のラック装置については、複雑な自在ロック機構を内部に組み込むなどのため、簡単に支柱に対して適当な高さに棚板を架設できない等の欠点がある。
【０００６】
これに対して本願考案者は先に、垂設された芯材に上下方向に貫通穴を有する柱部材の複数個を連続して可動自在に挿通して構成された支柱を１又は２以上設けるとともに、後端部に棚板の受け部を有するブラケットの前端部には上記支柱に対応してその先端部に芯材の係止溝を有する挿入部を設け、該挿入部は上記支柱の適当高さの柱部材間に挿入して上下の柱部材間に挟持させるようにしたラック装置を提案した（実用新案登録第3105549号）。
【特許文献１】実用新案登録第3044943号、実用新案登録第3105549号
【考案の開示】
【考案が解決しようとする課題】
【０００７】
しかし、このラック装置においては、その前端部に設けられた挿入部を上下の柱部材間に挟持させてブラケットを支持するが、棚板には種々の重さの商品が陳列されており、商品によってはこの程度の支持ではブラケットを十分に支えることができず、商品の陳列棚板の盲動を生ずる結果となる。
【０００８】
また、上記考案においては棚板の盲動を防ぐために、挿入部の上部乃至下部に柱部材の係合部を設けることが行われていたが、このような支持でもブラケットを十分に支えることができず、陳列された商品の種類によっては棚板の盲動が生ずる結果となる。
【課題を解決するための手段】
【０００９】
この考案は、上記実情に鑑み、垂設された芯材に上下方向に貫通穴を有する柱部材の複数個を連続して可動自在に挿通して構成された支柱を１又は２以上設けるとともに、該支柱に例えば棚板のブラケットを支持させるようにしたラック装置において、上記ブラケットに設けられた取付穴を介して支持片を取り付け、該支持片の上下方向にその中央に環状突起を有する２以上の基板を設け、該基板にはその中央部を起点とし、その一端部に開口部を有する上記芯材の係止溝を形成し、また上記環状突起にはその中央部を起点とし、その一端部に開口部を有する上記芯材の係止溝を形成した蓋体を被せ、更に上記蓋体と環状突起の対向する内側壁と外側壁には蓋体の回動を規制するピンとストッパーを設け、また上記環状突起には蓋体の上下動を規制する鍔部を設けるようにしたラック装置を提案するものである。
【００１０】
この考案においては支持片の上下方向に設けられた２以上の基板中央に設けた環状突起に蓋体を被せると共に、支柱の適当な高さの柱部材間の芯材を基板と蓋体に形成された係止溝に通した後、蓋体を回動して芯材を基板と蓋体に形成された係止溝間で把持させる。
【００１１】
即ち、この考案では支柱の上下２以上で基板と蓋体は上下の柱部材間に挟着され、且つ芯材は基板と蓋体に形成された係止溝間で把持されるので、支持片は支柱に支持され、ブラケットに大きな加重が加わってもブラケットが盲動することがない。
【００１２】
なお、芯材は天井面に沿って摺動可能に吊り下げるようにして垂設してもよい。
【００１３】
また、商品の陳列の都合上棚板を支柱に対して垂直方向に棚設する場合も、また商品の陳列の都合上棚板を支柱に対して傾斜させて棚設する場合もあるが、このため棚板支持用ブラケットにおいてはブラケットに棚板を垂設方向に棚設する取付穴と、棚板を傾斜方向に棚設する取付穴とを設けることもできる。
【００１４】
一方、垂設された芯材の全領域に複数個の柱部材を可動自在に連続挿通して支柱とするのでなく、垂設された芯材の一部領域に複数個の柱部材を連続挿通して支柱を形成する場合には支柱領域の上部乃至下部の芯材に上下方向に貫通穴を有する位置決め部材を挿通して支柱領域を固定するようにしてもよい。
【考案の効果】
【００１５】
即ち、この考案によれば垂設された芯材に上下方向に貫通穴を有する柱部材の複数個を連続して可動自在に挿通して構成された支柱を１又は２以上設けるとともに、該支柱に棚板のブラケットを支持させるようにしたラック装置において、支持片の上下方向に設けられた２以上の基板中央に設けた環状突起に蓋体を被せると共に、支柱の適当な高さの柱部材間の芯材を基板と蓋体に形成された係止溝に通した後、蓋体を回動して芯材を基板と蓋体に形成された係止溝間で把持させるので、支持片は支柱に支持され、ブラケットに大きな加重が加わってもブラケットが盲動することがない。
【考案を実施するための最良の形態】
【００１６】
垂設された芯材に上下方向に貫通穴を有する柱部材の複数個を連続して可動自在に挿通して構成された支柱を１又は２以上設けるとともに、該支柱に棚板のブラケットを支持させるようにしたラック装置において、上記ブラケットに設けられた取付穴を介して支持片を取り付け、該支持片の上下方向にその中央に環状突起を有する２以上の基板を設け、該基板にはその中央部を起点としてその一端部に開口部を有する上記芯材の係止溝を形成し、また上記環状突起には蓋体を被せ、該蓋体にはその中央部を起点としてその一端部に開口部を有する上記芯材の係止溝を形成し、更に上記蓋体と環状突起の対向する内側壁と外側壁には蓋体の回動を規制するピンとストッパーを設け、また上記環状突起には蓋体の上下動を規制する鍔部を設けるようにしたラック装置。
【実施例１】
【００１７】
以下、この発明を図示の実施例に基づいて詳細に説明すると、１はこの考案の一実施例を示すハンガーラック装置の基枠で、基枠１はその前面を開放し、その長手方向に沿って複数のハンガーラック区画２，…が列設される。
【００１８】
３，…は長尺なワイヤーで構成される芯材で、芯材３は基枠１の上端部と下端部に設けられた支持部４，…に支持されてハンガーラック区画２の隅に対向状に垂設される。
【００１９】
更に、ハンガーラック区画２の隅に垂設される芯材３には上下方向に貫通穴５を有する複数の柱部材６を連続して可動自在に挿通して支柱７を形成する。
【００２０】
なお、この実施例では柱部材６は縦長のもの、球形のもの、着色されたもの等が使用され、この実施例では支柱７の高さ調整を容易にするために、大小２種類の縦長な柱部材６を芯材３に挿通して支柱７を形成する。
【００２１】
一方、８は棚板、９は底部前端部に棚板８の取付部9aを有する三角形状のブラケット、10はブラケット支持片で、ブラケット９にはその頂点より垂線ａに沿って取付穴11a,11b,11cを設け、且つブラケット９の下部には頂部の取付穴11aを支点として円弧状に例えば10°間隔で取付穴12,…を設け、ブラケット支持片10にはその長手方向に沿って取付穴13a,13b,13cを設ける。
【００２２】
ブラケット９の取付穴のうち、取付穴11a,11b,11cを棚板８の垂直方向の取付穴とし、取付穴11aと取付穴12,…を傾斜方向の取付穴とする。
【００２３】
即ち、取付片9aに固定された棚板８を垂線ａに対して垂直方向に棚設する場合には取付穴11a,11b,11cと取付穴13a,13b,13cをビス止めしてブラケット９を支持片10に固定する。
【００２４】
一方、棚板８を垂線ａに対して所定角度（例えば、10°、20°）傾斜させて棚設する場合には取付穴11aと取付穴13aをビス止めすると共に、取付穴13cと所定傾斜角度に対応する取付穴12,…の何れかにビス止めしてブラケット９を支持片10に固定する。
【００２５】
14,14はブラケット支持片10の上下に設けられた基板で、基板14にはその中央に環状突起15を有し、基板14にはその中央部を起点とし、その一端部に開口部16aを有する係止溝16を形成する。
【００２６】
17,17は環状突起15,15に被せられる蓋体で、蓋体17にはその中央部を起点とし、その一端部に開口部18aを有する係止溝18を形成する。
【００２７】
更に、蓋体17の内側壁19にはピン20を突設し、これに対向する環状突起15の外側壁21には蓋体17の回動を規制するストッパー22を設け、環状突起15の上端周縁部には蓋体17の上下動を規制する鍔部23を設ける。
【００２８】
以上の構成において、環状突起15上に基板14の係止溝16の開口部16aと蓋体17の係止溝18の開口部18aが開いた状態で環状突起15に蓋体17を被せ、ハンガーラック区画２の隅に垂設される芯材３を係止溝16と係止溝18の中央部に挿入し、次に蓋体17を回動して芯材３を係止溝16と係止溝18間で把持する。
【００２９】
即ち、この実施例では支柱の上下２箇所で基板14と蓋体17は上下の柱部材６，６間に挟着され、且つ芯材３は基板14に形成された係止溝16と蓋体17に形成された係止溝18間に把持されるので、支持片10が支柱７の上下２箇所で十分な力で支持され、したがって棚板８に重い加重が加わって棚板８の盲動を防ぐことができる。
【００３０】
なお、棚板８を支柱７の垂設方向に対して垂直方向に棚設する場合には、ブラケット９はビス止めしてブラケット９を支持片10に固定すればよいが、陳列商品によっては棚板８を支柱７の垂設方向に対して所定角度傾斜させて棚設する場合もあり、このような場合には取付穴11aと取付穴13aをビス止めすると共に、取付穴13cと所定傾斜角度に対応する取付穴12，…の何れかにビス止めしてブラケット９を支持片10に固定する。
【００３１】
なお、この実施例では基板14,14の他側には他のブラケット支持片24が設けられ、他のブラケット支持片24にはハンガーパイプ25、引掛用フック26が設けられている。
【００３２】
また、支柱の柱の他の形成態様としては、図９（ａ）に示すように、天井面に沿って設けた管状サポータ27にフック金具28を介して吊り下げられた芯材３に複数個の柱部材６を可動自在に連続挿通して支柱７してもよく、この場合支柱７はサポータ27に沿ってスライド可能にしてもよい。
【００３３】
更に、図９（ｂ）に示すように、垂設された芯材３の全領域に複数個の柱部材６を可動自在に連続挿通して支柱７とするのでなく、垂設された芯材３の一部領域に複数個の柱部材６を連続挿通して支柱７を形成する場合には支柱７領域の上部乃至下部の芯材３に上下方向に貫通穴を有する位置決め部材29,29を挿通固定して支柱７領域を固定するようにしてもよい。
【００３４】
この場合、図９（ｃ）に示すように、支柱７領域以外の芯材３の露出する部分はカバー30で覆うようにしてもよい。
【産業上の利用可能性】
【００３５】
以上要するに、この考案によれば垂設された芯材に上下方向に貫通穴を有する柱部材の複数個を連続して可動自在に挿通して構成された支柱にブラケット支持片が十分な力で支柱に支持され、ブラケットが盲動することがないラック装置を提供できる。
【図面の簡単な説明】
【００３６】
【図１】この考案の一実施例を示すラック装置の斜視図
【図２】一部を縦断側面図にした同上の実施例における要部拡大図
【図３】同上のブラケット部分を拡大した斜視図
【図４】同上の分解斜視図
【図５】同上の実施例における芯材の把持工程を説明する縦断側面図であり、（ａ）は基板の環状突起に蓋体を被せる状態を示す図、（ｂ）は環状突起に被せられた蓋体を回動して基板と蓋体に形成された係止溝間で芯材を把持する状態を示す図
【図６】同上の実施例における芯材の把持工程を説明する平面図であり、（ａ）は基板と蓋体に形成された係止溝の開口部が開放された状態を示す図、（ｂ）は基板と蓋体に形成された係止溝が閉ざされた状態を示す図
【図７】同上の実施例において棚板を支柱に対して垂直方向に棚設する場合の支持片へのブラケットの取り付け状態を示す図で、（ａ）は側面図、（ｂ）は平面図
【図８】同上の実施例において棚板を支柱に対して所定角度傾斜させて棚設する場合の支持片へのブラケットの取り付け状態を示す図で、（ａ）は側面図、（ｂ）は平面図
【図９】支柱の他の態様を示すもので、（ａ）は支柱をスライド可能に吊り下げた態様を示し、（ｂ）は垂設された芯材の一部領域を支柱領域とする態様を示し、（ｃ）は上記（ｂ）において芯材の露出する部分にカバーで覆うようにした態様を示す。
【符号の説明】
【００３７】
１はハンガーラック装置の基枠
２，…はハンガーラック区画
３，…は芯材
４は支持部
５は貫通穴
６，…は柱部材
７，…は支柱
８，…は棚板
９はブラケット
9aは取付部
10はブラケット支持片
11a,11b,11cはブラケットに設けられた取付穴
12，…はブラケットに設けられた他の取付穴
13a,13b,13cはブラケット支持片に設けられた取付穴
14は基板
15は環状突起
16は基板の係止溝
17は蓋体
18は蓋体の係止溝
19は内側壁
20はピン
21は外側壁
22はストッパー
23は鍔部
24は他のブラケット支持片
25はハンガーパイプ
26は引掛用フック
27は管状サポータ
28はフック金具
29,29は位置決め部材
30はカバー
【図１】
0003117867.tif 000003
【図２】
0003117867.tif 000004
【図３】
0003117867.tif 000005
【図４】
0003117867.tif 000006
【図５】
0003117867.tif 000007
【図６】
0003117867.tif 000008
【図７】
0003117867.tif 000009
【図８】
0003117867.tif 000010
【図９】
0003117867.tif 000011